(57)【要約】【課題】  フロアマット固定具の固定を確実にしつつ、取付け及び取外しの際の作業性が向上されたフロアマット固定具、フロアマット固定具取付構造及びフロアマット固定具取付方法を提供する。【解決手段】  鍔部１８を第１の回転位置で長穴１７に挿通し、フロアマット固定具１０を首部１９の軸周りに回転させ、その鍔部１８を回転させて第２の回転位置とし、長穴１７の周りの壁体２５に係止させるため、容易にフロアマット固定具１０を取り付けることが可能とされ、その使用時においてフロアマット固定具１０が確実に取り付けられる。また、フロアマット固定具１０を取り外す際には、フロアマット固定具１０を回転させて、鍔部１８を第１の回転位置にして長穴１７から抜き出すため、容易にフロアマット固定具１０を取り外すことができる。【選択図】  図２
2006001318.tif 000002
【特許請求の範囲】
【請求項１】
フロアマットを留める留め具を有する基部と、
前記基部に対して屈曲された起立部と、
前記起立部の前記留め具に面する主面とは異なる他の主面に設けられ、車体に設けられた長穴に挿通され係止される係止部と、を具備し、
前記係止部は、
第１の回転位置において前記長穴に挿通可能であり、第２の回転位置において前記長穴に係止可能な外形を有する鍔部と、
前記鍔部と前記起立部とを接続し、前記長穴内で軸周りに回転自在な太さを有する首部と、を備えることを特徴とするフロアマット固定具。
【請求項２】
前記起立部は、可撓性を有し、前記留め具側に向かって凸に湾曲していることを特徴とする請求項１に記載のフロアマット固定具。
【請求項３】
前記基部は、前記留め具が設けられた主面側とは反対方向に突出する脚部を有していることを特徴とする請求項１又は２に記載のフロアマット固定具。
【請求項４】
請求項１又は２に記載のフロアマット固定具と、
車体に設けられた長穴を有する壁体と、を備え、
前記フロアマット固定具は、前記係止部を介して前記長穴に係脱可能であることを特徴とするフロアマット固定具取付構造。
【請求項５】
請求項３に記載のフロアマット固定具と、
車体に設けられた長穴を有する壁体と、
前記車体に設けられた前記脚部を収容する収容孔と、
を備え、
前記フロアマット固定具は、前記係止部を介して前記長穴に係脱可能であり、前記鍔部が前記長穴に係止されるとき、前記脚部が前記収容孔に収容されることを特徴とするフロアマット固定具取付構造。
【請求項６】
車体に設けられた長穴に、請求項１〜３のいずれかに記載のフロアマット固定具を取り付けるフロアマット固定具取付方法であって、
前記第１の回転位置に前記鍔部が位置するように、前記フロアマット固定具を前記長穴に対して位置合わせして該鍔部を前記長穴に挿通する工程と、
前記第２の回転位置に前記鍔部が位置するように、前記フロアマット固定具を前記首部の軸周りに回転させる工程と、
を備えることを特徴とするフロアマット固定具取付方法。
【請求項７】
フロアマットを留める留め具を有する基部と、
前記基部に対して屈曲された起立部と、
前記起立部の前記留め具に面する主面とは異なる他の主面に設けられた係止部と、を具備し、
前記係止部は、
前記他の主面から突出する首部と、
前記首部に設けられ、前記他の主面に沿って延びる鍔部と、を備えることを特徴とするフロアマット固定具。
【発明の詳細な説明】
【技術分野】
【０００１】
本発明は、フロアマットを車体に好適に固定するフロアマット固定具、フロアマット固定具の取付構造及びフロアマット固定具の取付方法に関する。
【背景技術】
【０００２】
従来から、自動車内において、靴などに付着した土、砂、泥、或いは砂利などがフロアに付着してフロアが汚れるのを防止するために、フロアマットを敷いている。このフロアマットは前記機能を発揮するために、各種方法によって車体に固定されている。
【０００３】
図６は、従来の自動車用フロアマット固定具を示す概略構成図である。図６に示すように、フロアマット固定具１は、フロアマット８を係止するフロアマット係止部６を立設する基部３と、車体のクロスメンバ９の開口部９ａに挿通される取付部７を立設する起立部２とを具備している。取付部７は、その先端側から後端側に向かって湾曲する弾性リップ７ａが上下に配置され、この弾性リップ７ａの後端部に、段差７ｂを各々有している。この段差７ｂを、クロスメンバ９の開口部９ａを形成する周縁部に係止して、フロアマット固定具１を車体に固定することにより、フロアマット８を固定している（例えば、特許文献１参照）。
【特許文献１】実公平７−５５１５２号公報
【発明の開示】
【発明が解決しようとする課題】
【０００４】
近年、自動車に対するリサイクルは当然達成されるべき社会的な命題とされ、上記フロアマット固定具においても、再生利用されることが要求されている。しかしながら、上記フロアマット固定具にあっては、リサイクルの際に取り外しが困難であるといった問題がある。また、リサイクルの際の取り外し作業を容易とすべく、弾性リップ７ａの弾性力を小さく設計すると、通常使用時において、フロアマット固定具が容易に外れてしまうという問題がある。
【０００５】
本発明は、このような課題を解決するために成されたものであり、フロアマット固定具の固定を確実にしつつ、取付け及び取外しの際の作業性が向上されたフロアマット固定具、フロアマット固定具取付構造及びフロアマット固定具取付方法を提供することを目的とする。
【課題を解決するための手段】
【０００６】
本発明によるフロアマット固定具は、フロアマットを留める留め具を有する基部と、基部に対して屈曲された起立部と、起立部の留め具に面する主面とは異なる他の主面に設けられ、車体に設けられた長穴に挿通され係止される係止部と、を具備し、係止部は、第１の回転位置において長穴に挿通可能であり、第２の回転位置において長穴に係止可能な外形を有する鍔部と、鍔部と起立部とを接続し、長穴内で軸周りに回転自在な太さを有する首部と、を備えることを特徴としている。
【０００７】
また、本発明によるフロアマット固定具取付構造は、フロアマット固定具と、車体に設けられた長穴を有する壁体と、を備え、フロアマット固定具は、係止部を介して長穴に係脱可能であることを特徴としている。
【０００８】
また、本発明によるフロアマット固定具取付方法は、車体に設けられた長穴に、フロアマット固定具を取り付けるフロアマット固定具取付方法であって、第１の回転位置に鍔部が位置するように、フロアマット固定具を長穴に対して位置合わせして該鍔部を長穴に挿通する工程と、第２の回転位置に鍔部が位置するように、フロアマット固定具を首部の軸周りに回転させる工程と、を備えることを特徴としている。
【０００９】
このようなフロアマット固定具、フロアマット固定具取付構造及びフロアマット固定具取付方法によれば、鍔部が第１の回転位置で長穴に挿通され、その鍔部を軸周りに回転させて第２の回転位置とし、長穴の周りの壁体に鍔部を係止させるため、容易にフロアマット固定具を取り付けることが可能とされ、その使用時においてフロアマット固定具が確実に取り付けられる。また、フロアマット固定具を取り外す際には、フロアマット固定具を回転させて、鍔部を第１の回転位置にして長穴から抜き出すため、容易にフロアマット固定具を取り外すことができる。
【００１０】
ここで、上記作用を効果的に奏する構成としては、具体的には、起立部は、可撓性を有し、留め具側に向かって凸に湾曲している構成が挙げられる。このようにすれば起立部の弾性による復元力により、長穴の周りの壁体が起立部と鍔部との間に挟まれて、フロアマット固定具が一層確実に取り付けられる。
【００１１】
また、基部は、留め具が設けられた主面側とは反対方向に突出する脚部を有していると好ましい。上記鍔部に加えて、脚部でも車体に係止させることが可能となるため、フロアマット固定具が一層確実に取り付けられる。
【００１２】
また、上記作用を効果的に奏するフロアマット固定具取付構造としては、フロアマット固定具と、車体に設けられた長穴を有する壁体と、車体に設けられた脚部を収容する収容孔と、を備え、フロアマット固定具は、係止部を介して長穴に係脱可能であり、鍔部が長穴に係止されるとき、脚部が収容孔に収容される構成が挙げられる。
【００１３】
また、本発明のフロアマット固定具は、フロアマットを留める留め具を有する基部と、基部に対して屈曲された起立部と、起立部の留め具に面する主面とは異なる他の主面に設けられた係止部と、を具備し、係止部は、他の主面から突出する首部と、首部に設けられ、他の主面に沿って延びる鍔部と、を備えることを特徴としている。
【発明の効果】
【００１４】
このように本発明によるフロアマット固定具、フロアマット固定具取付構造及びフロアマット固定具取付方法によれば、その使用時においてフロアマット固定具が確実に取り付けられているため、フロアマットのズレを防止することができる。また、容易にフロアマット固定具を取り付け、取り外すことができるため、作業性が向上される。
【発明を実施するための最良の形態】
【００１５】
以下、本発明によるフロアマット固定具の好適な実施形態について図１〜図５を参照しながら説明する。図１は、本発明の実施形態に係るフロアマット固定具を示す斜視図、図２は、図１に示すフロアマット固定具の取付状態を示す概略構成図、図３は、フロアマットを敷設する部位における車体の構成を示す斜視図、図４は、図２のIV−IV矢視図、図５は、図１に示すフロアマット固定具を取付ける場合の説明図、である。なお、図面の説明において、同一または相当要素には同一符号を付し、重複する説明は省略する。
【００１６】
図１に示す本実施形態に係るフロアマット固定具１０は、図２に示すように、自動車の車体１４に取り付けられ、フロア２３に敷設されるフロアマット１１を車体１４に固定する。車体１４は、図３に示すように、フロア２３と、このフロア２３上に箱型を成して延在するクロスメンバ２４とを具備している。
【００１７】
フロア２３は、図２及び図３に示すように、クロスメンバ２４際の端部に矩形の開口部である収容孔２１を有している。この収容孔２１は、その長手方向がクロスメンバ２４の長手方向に沿うように設けられている。
【００１８】
クロスメンバ２４は、フロア２３から上方に延びる縦壁部２５を有し、この縦壁部２５には、長円形の長穴１７が設けられている。長穴１７の長径方向は、略鉛直方向に沿っている。
【００１９】
フロアマット固定具１０は、図１に示すように、基部１３と、この基部１３の一の端部１３ａ側で屈曲され上方に向かって延びる起立部１６と、この起立部１６に設けられた係止部１５とを具備している。
【００２０】
基部１３は、上面及び下面を有する細長い板状を成し、可撓性を有している。基部１３の起立部１６側における端部１３ａ近傍は下方に屈曲され、脚部２０が設けられている。この脚部２０は、側面視において略円弧状に湾曲し、起立部１６に連続している。
【００２１】
基部１３の他の端部１３ｂにおける上面には、フロアマット１１（図２参照）を係止するための留め具１２が設けられている。この留め具１２は、上方に向かって延び外形が略円柱状を成す柱部１２ａと、柱部１２ａの外周面上に周方向に設けられフロアマット１１の抜けを防止する環状の突条１２ｂと、を有している。
【００２２】
起立部１６は、一対の主面を有する細長い板状を成し、可撓性を有している。起立部１６は、その高さ方向の中央部が留め具１２側に向かって凸に湾曲している。
【００２３】
脚部２０が設けられている部位における基部１３の上面と、起立部１６の留め具１２側の主面と間には、基部１３の長手方向に沿って延びるリブ２６が設けられている。このリブ２６により、フロアマット固定具１０の強度が高められている。
【００２４】
係止部１５は、起立部１６の留め具１２側の主面とは異なる主面上であって、起立部１６の高さ方向における略中央に設けられている。この係止部１５は、鍔部１８と首部１９とを有している。
【００２５】
鍔部１８は、外形が略長円形状で板状を成し、その長径方向が基部１３の上面に沿っている。この鍔部１８は、外形が長穴１７よりも小さく、長穴１７に挿通可能な大きさとされている。また鍔部１８の長径は、長穴１７の短径よりも長く設けられている。従って、この鍔部１８は、その長径方向が長穴１７の長径方向に沿う第１の回転位置において、長穴１７に挿通可能である（図５参照）。またこの鍔部１８は、その長径方向が長穴１７の長径方向と直交する第２の回転位置において、長穴１７に係止可能で長穴１７からの抜けが防止される。この鍔部１８は、図４に示すように、起立部１６に対向する係止面１８ａを有している。
【００２６】
首部１９は、鍔部１８と起立部１６とを接続する。この首部１９は、外形が略円柱状を成し、その太さは車体１４の長穴１７（図３参照）の短径より小さい。従って、首部１９は長穴１７内で軸周りに回転自在である。首部１９の長さは、縦壁部２５の厚さより少し長くされている。
【００２７】
上記した構成のフロアマット固定具１０は、十分な強度を有し成形性が良好な例えば、ポリアミド樹脂、ポリカーボネート、ポリアセタール、変性ポリフェニレンエーテル等から構成され、基部１３、起立部１６及び係止部１５が一体として成形されている。
【００２８】
本実施形態に係るフロアマット固定具取付構造は、上記した車体１４のクロスメンバ２４に設けられた長穴１７を有する縦壁部２５と、フロアマット固定具１０とを備えて構成される。このフロアマット取付構造において、上記したようにフロアマット固定具１０は脚部２０を有すると好ましく、このときフロア２３に設けられた脚部２０を収容する収容孔２１を有すると好ましい。
【００２９】
次に、フロアマット固定具１０を車体１４に設けられた長穴１７に取り付けるフロアマット固定具取付方法について説明する。
【００３０】
先ず、フロアマット固定具１０を、その鍔部１８の長径方向が長穴１７の長径方向に沿う第１の回転位置にして、図５に示すように、基部１３をフロア２３に対し垂直方向とし、起立部１６を縦壁部２５に当接させる。そして、鍔部１８を長穴１７に挿通する。このとき、起立部１６の弾性による復元力に抗して、起立部１６が縦壁部２５に完全に沿うように、縦壁部２５に対してフロアマット固定具１０を押し付ける。
【００３１】
この状態で、フロアマット固定具１０を首部１９の軸周りに回転させ、鍔部１８の長径方向が長穴１７の長径方向と直交する第２の回転位置にする。これにより、図２及び図４に示すように、鍔部１８が長穴１７に係止される。この状態で、脚部２０は収容孔２１に収容される。そして、起立部１６の縦壁部２５への押し当てを解除すると、起立部１６が弾性により留め具１２側へ凸に湾曲（復元）し、起立部１６の上端部１６ａ及び下端部１６ｂのみが、縦壁部２５に当接した状態となる。これにより、鍔部１８が縦壁部２５に向けて引っ張られ、係止面１８ａが縦壁部２５に当接する。また、脚部２０ａが収容孔２１に係止される。このようにして、フロアマット固定具１０が車体１４に取り付けられる。最後に、フロアマット１１の開口部１１ａを留め具１２に留めて、図２及び図４に示す状態とする。このようにして、フロアマット１１がフロアマット固定具１０に固定される。
【００３２】
フロアマット固定具１０を車体１４から取り外す際には、まずフロアマット１１を留め具１２から取り外す。次に、起立部１６の復元力に抗して起立部１６を縦壁部２５に完全に押し当てた後、首部１９の軸周りにフロアマット固定具１０を回転させ、鍔部１８の長径方向が長穴１７の長径方向に沿う第１の回転位置に位置させる。そして、鍔部１８を長穴１７から抜き出す。このようにして、フロアマット固定具１０の取り外しが完了する。
【００３３】
次に、本実施形態に係るフロアマット固定具１０、フロアマット固定具取付構造及びフロアマット固定具取付方法の作用及び効果について説明する。
【００３４】
本実施形態に係るフロアマット固定具１０、フロアマット固定具取付構造及びフロアマット固定具取付方法では、鍔部１８が第１の回転位置で長穴１７に挿通され、その鍔部１８を軸周りに回転させて第２の回転位置とし、長穴１７の周りの縦壁部２５に鍔部１８を係止させるため、容易にフロアマット固定具１０を取り付けることが可能であり、その使用時においてフロアマット固定具１０が確実に取り付けられる。また、フロアマット固定具１０を取り外す際には、フロアマット固定具１０を回転させて、鍔部１８を第１の回転位置にして長穴１７から抜き出すため、容易にフロアマット固定具１０を取り外すことができる。その結果、使用時におけるフロアマット固定具１０の固定が確実になり、フロアマット１１のズレが防止されると共に、フロアマット固定具１０の取り付け及び取り外しの際の作業性が向上している。
【００３５】
また、起立部１６は、可撓性を有し、留め具１２側に向かって凸に湾曲しているため、長穴１７を形成する縦壁部２５が起立部１６の上下端部１６ａ，１６ｂと鍔部１８との間に挟まれて、フロアマット固定具１０が一層確実に取り付けられている。
【００３６】
また、基部１３は、留め具１２側とは反対方向に突出する脚部２０を有し、上記鍔部１８に加えて、脚部２０でも車体１４に係止させることが可能となるため、フロアマット固定具１０が一層確実に取り付けられる。
【００３７】
以上、本発明をその実施形態に基づき具体的に説明したが、本発明は、上記実施形態に限定されるものではない。例えば、上記実施形態にあっては、長穴１７及び鍔部１８の形状を長円形状としているが、矩形状であっても良く、その他の形状の長穴であっても良い。要は、鍔部が長穴に挿通可能とされ、鍔部を第２の回転位置に回転させた場合に、鍔部が長穴に係止可能であれば良い。
【００３８】
なお、第１の回転位置は、図５に示す様な鉛直方向に限定されない。更に、第２の回転位置は、第１の回転位置と異なっていれば良く、要は、第１の回転位置で、鍔部１８が長穴１７に挿通可能とされ、第２の回転位置で、鍔部１８が長穴１７に係止可能であれば良い。
【００３９】
また、上記実施形態にあっては、基部１３と起立部１６とを一体として構成しているが、基部１３と起立部１６とを別々に形成した後に、互いに接続する構成としても良い。
【００４０】
また、上記実施形態にあっては、フロア２３とフロアマット固定具１０とが接する構成としているが、フロア２３と、フロアマット固定具１０との間に、カーペット等が敷設される構成としても良い。特に、カーペットの厚さが異なる場合には、フロアマット固定具１０及び長穴１７の寸法条件等の設計によって、基部１３の下面に間隙を生じる場合がある。しかしながら、基部１３が可撓性を有することにより、留め具１２の下部において、カーペットと基部１３とがカーペットの重量によって当接し、当該固定具１０自体を安定して支持することが期待できる。
【００４１】
また、例えば図１並びに図２において、留め具１２として特定形状を参照して説明したが、本発明は当該形状に限定されるものではない。例えば図２において、留め具１２の高さ方向の中央近傍に突条１２ｂを設けた形状を示している。しかしながら、円柱状の留め具の起立部１６側に突片を設けるなど、種々の変形並びに変更を行うことができる。
【図面の簡単な説明】
【００４２】
【図１】本発明の実施形態に係るフロアマット固定具を示す斜視図である。
【図２】図１に示すフロアマット固定具の取付状態を示す概略構成図である。
【図３】フロアマットを敷設する部位における車体の構成を示す斜視図である。
【図４】図３のIV−IV矢視図である。
【図５】図１に示すフロアマット固定具を取付ける場合の説明図である。
【図６】従来のフロアマット固定具を示す概略構成図である。
【符号の説明】
【００４３】
１０…フロアマット固定具、１１…フロアマット、１２…留め具、１３…基部、１４…車体、１５…係止部、１６…起立部、１７…長穴、１８…鍔部、１９…首部、２０…脚部、２１…収容孔、２５…縦壁部（壁体）。
【図１】
2006001318.tif 000003
【図２】
2006001318.tif 000004
【図３】
2006001318.tif 000005
【図４】
2006001318.tif 000006
【図５】
2006001318.tif 000007
【図６】
2006001318.tif 000008